【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
固体素子と、前記固体素子に対して電力の供給を行う金属からなる第１の電力供給部と、前記固体素子を封止する無機封止材料とを有する発光部と、
前記発光部に対して電力の供給を行う第２の電力供給部と、
前記発光部を封止し、前記固体素子から放射される光を所定の方向へ導光する導光部が形成されている封止樹脂とを有することを特徴とする発光装置。
【請求項２】
前記導光部は、平板状に形成されることを特徴とする請求項１に記載の発光装置。
【請求項３】
前記導光部は、一側端部が前記固体素子を原点とする放物柱面形状の集光反射面を有する請求項２に記載の発光装置。
【請求項４】
前記導光部は、先端部と板状部とによって構成されており、前記固体素子は前記先端部によって封止されている請求項３に記載の発光装置。
【請求項５】
前記固体素子は、フリップタイプの素子であることを特徴とする請求項１から４のいずれか１項に記載の発光装置。
【請求項６】
前記第１の電力供給部は、ガラス含有Ａｌ２Ｏ３、Ａｌ２Ｏ３、又はＡｌＮからなることを特徴とする請求項１から５のいずれか１項に記載の発光装置。
【請求項７】
前記第１の電力供給部と第２の電力供給部とは、共通部材によって構成されていることを特徴とする請求項１から６のいずれか１項に記載の発光装置。
【請求項８】
前記封止樹脂は、蛍光体を含有していることを特徴とする請求項１から７のいずれか１項に記載の発光装置。
【請求項９】
前記発光部は、前記第１の電力受供給部を有して前記固体素子が搭載される無機材料基板と、前記無機材料基板に熱伝導性材料で形成された放熱部とを有する請求項１から８のいずれか１項に記載の発光装置。
【請求項１０】
前記発光部は、前記無機材料基板に搭載された複数の前記固体素子を前記無機封止材料で封止して形成されている請求項１から９のいずれか１項に記載の発光装置。
【請求項１１】
前記無機封止材料は、蛍光体を含有していることを特徴とする請求項１から１０のいずれか１項に記載の発光装置。
【請求項１２】
前記無機封止材料は、前記固体素子から放射される光が空気との界面で全反射しない光学形状で形成されることを特徴とする請求項１から１１のいずれか１項に記載の発光装置。
【請求項１３】
固体素子と、前記固体素子に対して電力の供給を行う金属からなる第１の電力供給部と、前記固体素子を封止する無機封止材料とを有する発光部と、
前記発光部に対して電力の供給を行う第２の電力供給部と、
前記発光部を封止し光学面が形成された封止樹脂と、
前記封止樹脂に形成され、前記発光部が発する光を反射する反射面とを有することを特徴とする発光装置。
【請求項１４】
固体素子と、前記固体素子に対して電力の供給を行う金属からなる第１の電力供給部と、前記固体素子を封止する無機封止材料とを有する発光部と、
前記発光部に対して電力の供給を行い、反射鏡が形成された金属リードからなる第２の電力供給部と、
前記発光部を封止し、光学面が形成された封止樹脂とを有し、
前記反射鏡は、前記固体素子の中心軸方向において、前記固体素子を封止する無機封止材料の高さより高く形成されていることを特徴とする発光装置。
【請求項１５】
固体素子と、前記固体素子に対して電力の供給を行う金属からなる第１の電力供給部と、前記固体素子を封止する無機封止材料とを有する発光部と、
前記発光部に対して電力の供給を行う第２の電力供給部と
前記発光部を封止し複数種類の樹脂によって形成されている封止樹脂とを有することを特徴とする発光装置。
【請求項１６】
前記封止樹脂に形成され、前記発光部が発する光を反射する反射面を有することを特徴とする請求項１４または１５に記載の発光装置。
【請求項１７】
前記第２の電力供給部は、反射鏡が形成された金属リードであり、
前記反射鏡は、前記固体素子の中心軸方向において、前記固体素子を封止する無機封止材料の高さより高く形成されていることを特徴とする請求項１３または１５に記載の発光装置。
【請求項１８】
前記封止樹脂は、複数種類の樹脂によって形成されていることを特徴とする請求項１３または１４に記載の発光装置。
【請求項１９】
前記複数種類の樹脂は、透明樹脂と前記発光部が発する光に対して高反射の高反射樹脂とを含むものであることを特徴とする請求項１５または１８に記載の発光装置。
【請求項２０】
前記高反射樹脂は、白色樹脂であり、前記固体素子の背面側に配置されていることを特徴とする請求項１９に記載の発光装置。
【請求項２１】
前記複数種類の樹脂は、透明樹脂と外周面に配される黒色樹脂とを含むものであることを特徴とする請求項１５、１８、１９または２０に記載の発光装置。
【請求項２２】
前記固体素子は、フリップタイプの素子であることを特徴とする請求項１３から２１のいずれか１項に記載の発光装置。
【請求項２３】
前記第１の電力供給部は、ガラス含有Ａｌ２Ｏ３、Ａｌ２Ｏ３、又はＡｌＮからなることを特徴とする請求項１３から２２のいずれか１項に記載の発光装置。
【請求項２４】
前記第１の電力供給部と第２の電力供給部とは、共通部材によって構成されていることを特徴とする請求項１３から２３のいずれか１項に記載の発光装置。
【請求項２５】
前記封止樹脂は、蛍光体を含有していることを特徴とする請求項１３から２４のいずれか１項に記載の発光装置。
【請求項２６】
前記封止樹脂の前記光学面が、前記固体素子の発光面側方向と背面側方向とに形成されていることを特徴とする請求項１３から２５のいずれか１項に記載の発光装置。
【請求項２７】
前記発光部は、前記第１の電力受供給部を有して前記固体素子が搭載される無機材料基板と、前記無機材料基板に熱伝導性材料で形成された放熱部とを有する請求項１３から２６のいずれか１項に記載の発光装置。
【請求項２８】
前記発光部は、前記無機材料基板に搭載された複数の前記固体素子を前記無機封止材料で封止して形成されている請求項１３から２７のいずれか１項に記載の発光装置。
【請求項２９】
前記封止樹脂は、前記固体素子から放射される光を反射する反射する反射部を有する請求項１３から２８のいずれか１項に記載の発光装置。
【請求項３０】
前記無機封止材料は、蛍光体を含有していることを特徴とする請求項１３から２９のいずれか１項に記載の発光装置。
【手続補正２】
【補正対象書類名】明細書
【補正対象項目名】０００８
【補正方法】変更
【補正の内容】
【０００８】
本発明は、上記目的を達成するため、固体素子と、前記固体素子に対して電力の供給を行う金属からなる第１の電力供給部と、前記固体素子を封止する無機封止材料とを有する発光部と、前記発光部に対して電力の供給を行う第２の電力供給部と、前記発光部を封止し、前記固体素子から放射される光を所定の方向へ導光する導光部が形成されている封止樹脂とを有することを特徴とする発光装置を提供する。
【手続補正３】
【補正対象書類名】明細書
【補正対象項目名】０００９
【補正方法】変更
【補正の内容】
【０００９】
また、本発明は、上記目的を達成するため、固体素子と、前記固体素子に対して電力の供給を行う金属からなる第１の電力供給部と、前記固体素子を封止する無機封止材料とを有する発光部と、前記発光部に対して電力の供給を行う第２の電力供給部と、前記発光部を封止し光学面が形成された封止樹脂と、前記封止樹脂に形成され、前記発光部が発する光を反射する反射面とを有することを特徴とする発光装置を提供する。
【手続補正４】
【補正対象書類名】明細書
【補正対象項目名】００１０
【補正方法】変更
【補正の内容】
【００１０】
また、本発明は、上記目的を達成するため、固体素子と、前記固体素子に対して電力の供給を行う金属からなる第１の電力供給部と、前記固体素子を封止する無機封止材料とを有する発光部と、前記発光部に対して電力の供給を行い、反射鏡が形成された金属リードからなる第２の電力供給部と、前記発光部を封止し、光学面が形成された封止樹脂とを有し、前記反射鏡は、前記固体素子の中心軸方向において、前記固体素子を封止する無機封止材料の高さより高く形成されていることを特徴とする発光装置を提供する。
【手続補正５】
【補正対象書類名】明細書
【補正対象項目名】００１１
【補正方法】変更
【補正の内容】
【００１１】
また、本発明は、上記目的を達成するため、固体素子と、前記固体素子に対して電力の供給を行う金属からなる第１の電力供給部と、前記固体素子を封止する無機封止材料とを有する発光部と、前記発光部に対して電力の供給を行う第２の電力供給部と、前記発光部を封止し複数種類の樹脂によって形成されている封止樹脂とを有することを特徴とする発光装置を提供する。